【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
電気泳動ノッチフィルター装置であって、
ａ．少なくとも１つのサンプルチャンネルを備えるゲルカートリッジであって、各サンプルチャンネルが陰極バッファー室と、サンプル導入室と、該サンプル導入室と組み合わされる第１端部を有するチューブゲルと、該チューブゲルの第２端部と組み合わされるサンプル採集室と、そして陽極バッファー室と、を有しており、該陰極バッファー室と、該サンプル導入室と、ゲルチューブと、該サンプル採集室と、そして該陽極バッファー室とがイオン性電気接触が出来ている該ゲルカートリッジと、
ｂ．各サンプルチャンネルの陰極バッファー室及び各サンプルチャンネルの陽極バッファー室と契合可能な電源と、
ｃ．サンプルチャンネル用に１つ以上のステップをプロセッサ内にプログラムするユーザーインターフェースであって、ステップをプログラムする過程が該プログラムされるステップ中に該サンプルチャンネルを跨いで印加される電流又は電圧の少なくとも１つをプログラムする過程と、該サンプルチャンネルを跨いで該電圧又は電流を印加する持続時間をプログラムする過程とを有しており、該プログラムされた１つ以上のステップがプログラムされたシーケンスを形成する該ユーザーインターフェースと、そして
ｄ．該プログラムされたシーケンスを実施する該プロセッサを有する電気泳動制御器と、を具備する電気泳動ノッチフィルター装置。
【請求項２】
該ユーザーインターフェースが多数サンプルチャンネル用シーケンスをプログラムするよう使用され、該電気泳動制御器が該プログラムされたシーケンスを同時に実施する請求項１記載の電気泳動ノッチフィルター装置。
【請求項３】
全部の該プログラムされたシーケンスが同一である、又は、該プログラムされたシーケンスの２つ以上が同一でない、又は、該プログラムされたシーケンスが１つも同一でない請求項２記載の電気泳動ノッチフィルター装置。
【請求項４】
各プログラムされたステップが一定の電圧又は電流の設定及び電圧持続時間又は電流持続時間の設定の両者を有する請求項１記載の電気泳動ノッチフィルター装置。
【請求項５】
少なくとも１つのプログラムされたシーケンスが複数のプログラムされたステップを有し、該電気泳動制御器が１つのステップが完了した後該シーケンスを休止する請求項１記載の電気泳動ノッチフィルター装置。
【請求項６】
該電気泳動制御器がプログラムされたシーケンスに基づいて複数の電極の各々への該電力を独立に制御する請求項２記載の電気泳動ノッチフィルター装置。
【請求項７】
種々の陰極バッファーリザーバーと同一の又は異なる陽極バッファー室が各サンプルチャンネルと組み合わされる請求項１記載の電気泳動ノッチフィルター装置。
【請求項８】
該カートリッジが、該陰極バッファー室と各サンプル導入室の間に配置された分子量カットオフ膜を有する請求項１記載の電気泳動ノッチフィルター装置。
【請求項９】
電極のアレーと対電極のアレーとを具備しており、該電極のアレーと該対電極のアレーとが各々可動アーム上に保持される請求項１記載の電気泳動ノッチフィルター装置。
【請求項１０】
該サンプル導入室内に配置されたサンプルの特徴を検出する検出器を具備しており、該電気泳動制御器が該検出器からのフィードバックに基づきプログラムされたシーケンスの実施を休止する請求項１記載の電気泳動ノッチフィルター装置。
【請求項１１】
該ゲルカートリッジが１つ以上のサンプル採集室と、再使用可能な又は廃棄可能な１つ以上のサンプル導入室とを有する請求項１記載の電気泳動ノッチフィルター装置。
【請求項１２】
該チューブゲルが、選択されるゲルであって、アガロース、ポリアクリルアミド、単一多孔質ゲル、多数多孔質ゲル、単一ｐＨゲル、多数ｐＨゲルそしてそれらの組み合わせ、から選択されるゲルで充たされたチューブ状部材を有する請求項１記載の電気泳動ノッチフィルター装置。
【請求項１３】
該チューブゲルが該チューブ状部材の内壁にリンクされた化学製品である請求項１記載の電気泳動ノッチフィルター装置。
【請求項１４】
電気泳動ノッチフィルター装置であって、
ａ．少なくとも１つのサンプルチャンネルを備えるゲルカートリッジであって、各サンプルチャンネルが陰極バッファー室と、サンプル導入室と、該サンプル導入室と組み合わされる第１端部を有するチューブゲルと、該チューブゲルの第２端部と組み合わされるサンプル採集室と、そして陽極バッファー室と、を有しており、該陰極バッファー室と、該サンプル導入室と、該ゲルチューブと、該サンプル採集室と、そして該陽極バッファー室とがイオン性電気接触をすることが出来る該ゲルカートリッジと、
ｂ．各サンプルチャンネルの陰極バッファー室及び各サンプルチャンネルの陽極バッファー室と係合可能な電源と、
ｃ．該ゲルカートリッジサンプル導入室内に置かれたサンプルの特徴を検出する検出器と、そして
ｄ．少なくとも１つのサンプルチャンネル用シーケンスを実施するための、そして該検出器が該サンプルの特徴を検出した時該検出器からのフィードバックを受けるための、電気泳動制御器であって、該電気泳動制御器が該検出器からの該フィードバックに基づき該シーケンスの実施を休止する該電気泳動制御器と、を具備する電気泳動ノッチフィルター装置。
【請求項１５】
生物学的サンプルから関心のある被検体を回収する方法であって、
少なくとも１つのサンプルチャンネルを有するゲルカートリッジを形成する過程であって、各サンプルチャンネルが陰極バッファー室と、サンプル導入室と、該サンプル導入室と組み合わされる第１端部を有するチューブゲルと、該チューブゲルの第２端部と組み合わされるサンプル採集室と、そして陽極バッファー室と、を有しており、該陰極バッファー室と、該サンプル導入室と、該ゲルチューブと、該サンプル採集室と、そして該陽極バッファー室と、がイオン性電気接触をすることが出来る、該ゲルカートリッジを形成する過程と、
少なくとも１つのサンプルチャンネルの該陰極バッファー室内のバッファー溶液内に電極を配置する過程と、
該同じ少なくとも１つのサンプルチャンネルの該陽極バッファー室内のバッファー溶液内に対電極を配置する過程と、
該少なくとも１つのサンプルチャンネル用の１つ以上のステップをプロセッサ内にプログラムする過程であって、該プログラムする過程が該プログラムされるステップ中に該サンプルチャンネルを跨いで印加される電流又は電圧の少なくとも１つをプログラムする過程と、該サンプルチャンネルを跨ぐ該電圧又は電流の印加の持続時間をプログラムする過程と、を備えており、該プログラムされる１つ以上のステップがプログラムされるシーケンスを形成する該プロセッサ内にプログラムする過程と、そして
該プログラムされたシーケンスを実施するために該プロセッサを有する電気泳動制御器を係合させる過程と、を具備する該被検体を回収する方法。
【請求項１６】
該プロセッサが複数のサンプルチャンネルの各々用のシーケンスでプログラムされ、該電気泳動制御器が該プログラムされたシーケンスを同時に実施する請求項１５記載の方法。
【請求項１７】
該プログラムされたシーケンスが同一シーケンス、同一でないシーケンス及びそれらの組み合わせから成るグループから選択される請求項１６記載の方法。
【請求項１８】
ステップをプログラムする過程が一定の電圧又は電流の設定と、電圧又は電流の持続時間の設定と、の両者をプログラムする過程を要する請求項１５記載の方法。
【請求項１９】
該装置が、剪断された又はより多くのＤＮＡ、タンパク質、ペプチド、ポリペプチド、ＲＮＡ、ｓｉＲＮＡ、ｍＲＮＡ、剪断ＤＮＡ、タンパク質複合体、及び、免疫沈降物又は共免疫沈降物からの成分、を単離し、精製するため使われる請求項１５記載の方法。